(57)【要約】【課題】受信状態やサーチ範囲などから動的にユーザーに割り当てる相関器の割合を変更する。【解決手段】サーチャー部１６内の相関器コントロール部１０はウィンドウコントロール部９からのウィンドウ情報、受信品質モニター部１５からの受信品質情報（  ＢＥＲ、ＢＬＥＲ、ＳＩＲなど）  及び図示しない上位装置から得られるユーザー数情報から、ユーザー毎の相関器４の割り当てを決定し、相関器４を制御することで、使用する相関器４の割合を動的に変更する。【選択図】      図１
2004187019.tif 000002
【特許請求の範囲】
【請求項１】
複数のユーザーからの受信信号の各々と、予め用意した理想的な受信信号との相関値を算出する複数の相関器を含み、その相関値に基づき所望のパスを検出するＣＤＭＡ受信機のパスサーチ装置であって、
前記受信信号の受信状態に関する情報に基づき各ユーザー別に割り当てる前記相関器の数を制御する相関器制御手段を含むことを特徴とするＣＤＭＡ受信機のパスサーチ装置。
【請求項２】
前記相関器制御手段は、前記受信信号の受信品質情報に基づき前記相関器の数を制御することを特徴とする請求項１記載のＣＤＭＡ受信機のパスサーチ装置。
【請求項３】
前記相関器制御手段は、ウインドウを開く位置に関する情報に基づき前記相関器の数を制御することを特徴とする請求項１記載のＣＤＭＡ受信機のパスサーチ装置。
【請求項４】
前記相関器制御手段は、ノイズレベルなどから得られた閾値より高いレベルのパス情報に基づき前記相関器の数を制御することを特徴とする請求項１記載のＣＤＭＡ受信機のパスサーチ装置。
【請求項５】
前記相関器制御手段は、上位装置からのユーザー数の情報に基づき前記相関器の数を制御することを特徴とする請求項１記載のＣＤＭＡ受信機のパスサーチ装置。
【請求項６】
前記受信品質情報は、少なくともＢＥＲ（ｂｉｔ  ｅｒｒｏｒ  ｒａｔｅ）、ＢＬＥＲ（ｂｌｏｃｋ  ｅｒｒｏｒ  ｒａｔｅ）、ＳＩＲ（ｓｉｇｎａｌ−ｔｏ−ｉｎｔｅｒｆｅｒｅｎｃｅ  ｐｏｗｅｒ  ｒａｔｉｏ）のいずれかであることを特徴とする請求項２記載のＣＤＭＡ受信機のパスサーチ装置。
【請求項７】
複数のユーザーからの受信信号の各々と、予め用意した理想的な受信信号との相関値を算出する複数の相関器を含み、その相関値に基づき所望のパスを検出するＣＤＭＡ受信機のパスサーチ方法であって、
前記受信信号の受信状態に関する情報に基づき各ユーザー別に割り当てる前記相関器の数を制御する相関器制御ステップを含むことを特徴とするＣＤＭＡ受信機のパスサーチ方法。
【請求項８】
前記相関器制御ステップは、前記受信信号の受信品質情報に基づき前記相関器の数を制御することを特徴とする請求項７記載のＣＤＭＡ受信機のパスサーチ方法。
【請求項９】
前記相関器制御ステップは、ウインドウを開く位置に関する情報に基づき前記相関器の数を制御することを特徴とする請求項７記載のＣＤＭＡ受信機のパスサーチ方法。
【請求項１０】
前記相関器制御ステップは、ノイズレベルなどから得られた閾値より高いレベルのパス情報に基づき前記相関器の数を制御することを特徴とする請求項７記載のＣＤＭＡ受信機のパスサーチ方法。
【請求項１１】
前記相関器制御ステップは、上位装置からのユーザー数の情報に基づき前記相関器の数を制御することを特徴とする請求項７記載のＣＤＭＡ受信機のパスサーチ方法。
【請求項１２】
前記受信品質情報は、少なくともＢＥＲ（ｂｉｔ  ｅｒｒｏｒ  ｒａｔｅ）、ＢＬＥＲ（ｂｌｏｃｋ  ｅｒｒｏｒ  ｒａｔｅ）、ＳＩＲ（ｓｉｇｎａｌ−ｔｏ−ｉｎｔｅｒｆｅｒｅｎｃｅ  ｐｏｗｅｒ  ｒａｔｉｏ）のいずれかであることを特徴とする請求項８記載のＣＤＭＡ受信機のパスサーチ方法。
【請求項１３】
複数のユーザーからの受信信号の各々と、予め用意した理想的な受信信号との相関値を算出する複数の相関器を含み、その相関値に基づき所望のパスを検出するＣＤＭＡ受信機のパスサーチ方法をコンピュータに実行させるためのプログラムであって、
前記受信信号の受信状態に関する情報に基づき各ユーザー別に割り当てる前記相関器の数を制御する相関器制御ステップを含むことを特徴とするプログラム。
【請求項１４】
前記相関器制御ステップは、前記受信信号の受信品質情報に基づき前記相関器の数を制御することを特徴とする請求項１３記載のプログラム。
【請求項１５】
前記相関器制御ステップは、ウインドウを開く位置に関する情報に基づき前記相関器の数を制御することを特徴とする請求項１３記載のプログラム。
【請求項１６】
前記相関器制御ステップは、ノイズレベルなどから得られた閾値より高いレベルのパス情報に基づき前記相関器の数を制御することを特徴とする請求項１３記載のプログラム。
【請求項１７】
前記相関器制御ステップは、上位装置からのユーザー数の情報に基づき前記相関器の数を制御することを特徴とする請求項１３記載のプログラム。
【請求項１８】
前記受信品質情報は、少なくともＢＥＲ（ｂｉｔ  ｅｒｒｏｒ  ｒａｔｅ）、ＢＬＥＲ（ｂｌｏｃｋ  ｅｒｒｏｒ  ｒａｔｅ）、ＳＩＲ（ｓｉｇｎａｌ−ｔｏ−ｉｎｔｅｒｆｅｒｅｎｃｅ  ｐｏｗｅｒ  ｒａｔｉｏ）のいずれかであることを特徴とする請求項１４記載のプログラム。
【発明の詳細な説明】
【０００１】
【発明の属する技術分野】
本発明は、ＣＤＭＡ（  ｃｏｄｅ  ｄｉｖｉｓｉｏｎ  ｍｕｌｔｉｐｌｅ  ａｃｃｅｓｓ：符号分割多元接続）  受信機のパスサーチ装置及びその方法並びにプログラムに関し、特にパスサーチ方法の改良に関する。
【０００２】
【従来の技術】
ＣＤＭＡシステムなどに用いられるスペクトラム拡散通信方式の受信機は、ベースバンド信号に変換された受信信号を逆拡散するフィンガー部と、通常の場合、フィンガー部は複数装備されるのでそれら複数のフィンガー部から出力される逆拡散信号を所定のタイミングでレイク（ＲＡＫＥ  ）合成するレイク合成部と、受信信号から遅延プロファイルを計算し、求められた遅延プロファイルから受信タイミングとして有効なピークを検出して、フィンガー部やレイク合成部へのタイミング情報や有効フィンガー情報などを通知するパスサーチャー部とを含んで構成される。
【０００３】
この種のスペクトラム拡散通信方式に用いられる従来の受信機の一例が、特許文献１に開示されている。特許文献１には、受信特定を向上させるため、サーチャー部１２０で検出したサーチパスとトラッキングしたトラッキングパスに基づきパス捕捉保持部１５０で前方保護及び後方保護をかけて目的とする信号を抽出し、相関復調パス選択部１６０で目的以外の信号のパスを除いて復調すべきパスを選択してからレイク部１４０にて合成することが記載されている。
【０００４】
又、他の例として特許文献２に、マルチパスプロファイルから測定値の系列を読み込んで、サーチャーユニットの所定タイミング分解能より高い分解能を有するタイミングオフセットを導出し、それを使いフィンガー処理要素を最良候補パスに割り当てるＣＤＭＡレイク受信機が記載されている。
【０００５】
【特許文献１】
特許第２８５３７０５号公報（段落００５２、図２）
【０００６】
【特許文献２】
特開平１１−２６１５２８号公報（段落００２９、図１）
【０００７】
【発明が解決しようとする課題】
しかし、このような従来の構成では、ユーザーに割り当てられている相関器が固定的に決められており、受信状態が悪くパスの精度を向上させたいユーザー、又は早くパスを検出したいユーザーなどが他に余っている相関器を使用することが出来ないという問題点があった。さらに必要以上の相関器を持たなければならないという問題点もあった。
【０００８】
そこで、本発明の目的は、受信状態やサーチ範囲などから動的にユーザーに割り当てる相関器の割合を変更することが可能なＣＤＭＡ受信機のパスサーチ装置及びその方法並びにプログラムを提供することにある。
【０００９】
【課題を解決するための手段】
本発明によるＣＤＭＡ受信機のパスサーチ装置は、複数のユーザーからの受信信号の各々と、予め用意した理想的な受信信号との相関値を算出する複数の相関器を含み、その相関値に基づき所望のパスを検出するＣＤＭＡ受信機のパスサーチ装置であって、前記受信信号の受信状態に関する情報に基づき各ユーザー別に割り当てる前記相関器の数を制御する相関器制御手段を含むことを特徴とする。
【００１０】
又、本発明によるＣＤＭＡ受信機のパスサーチ方法は、複数のユーザーからの受信信号の各々と、予め用意した理想的な受信信号との相関値を算出する複数の相関器を含み、その相関値に基づき所望のパスを検出するＣＤＭＡ受信機のパスサーチ方法であって、前記受信信号の受信状態に関する情報に基づき各ユーザー別に割り当てる前記相関器の数を制御する相関器制御ステップを含むことを特徴とする。
【００１１】
さらに、本発明によるプログラムは、複数のユーザーからの受信信号の各々と、予め用意した理想的な受信信号との相関値を算出する複数の相関器を含み、その相関値に基づき所望のパスを検出するＣＤＭＡ受信機のパスサーチ方法をコンピュータに実行させるためのプログラムであって、前記受信信号の受信状態に関する情報に基づき各ユーザー別に割り当てる前記相関器の数を制御する相関器制御ステップを含むことを特徴とする。
【００１２】
本発明によるＣＤＭＡ受信機のパスサーチ装置及びその方法並びにプログラムは、ユーザーに割り当てる相関器の割合を動的に変更することにより、パス検出精度を向上させ、パス検出時間を短縮し、必要最低限の相関器の数で多数のユーザーの受信状態を良好に保つことを特徴とする。
【００１３】
これは、ウィンドウ情報、受信品質情報（ＢＥＲ（ｂｉｔ  ｅｒｒｏｒ  ｒａｔｅ）、ＢＬＥＲ（ｂｌｏｃｋ  ｅｒｒｏｒ  ｒａｔｅ）、ＳＩＲ（ｓｉｇｎａｌ−ｔｏ−ｉｎｔｅｒｆｅｒｅｎｃｅ  ｐｏｗｅｒ  ｒａｔｉｏ）  など）  及びユーザー数の情報などから、其々のユーザーに割り当てる相関器の数を決定する相関器コントロール部が、受信品質の悪いユーザーなどに対して優先的に相関器を割り当て、パス検出の精度を上げることにより可能となる。
【００１４】
さらにユーザー数が少ないときは、其々のユーザーに対して多数の相関器を割り当てることが可能となり、受信品質を向上させ、パス検出時間を短縮する事が可能となる。
【００１５】
図１に、本発明を適用したシステムの構成を示す。相関器コントロール部１０が其々のユーザーに対する相関器４の割合を決定する。本発明は、相関器コントロール部１０がウィンドウコントロール部９からのウィンドウ情報、受信品質モニター部１５からの受信品質情報（  ＢＥＲ、ＢＬＥＲ、ＳＩＲなど）  及び図示しない上位装置から得られるユーザー数情報から、ユーザー毎の相関器４の割り当てを決定し、相関器４を制御することで、使用する相関器４の割合を動的に変更する。
【００１６】
これにより、受信品質が低いユーザーなどには、より多くの相関器４が割り当てられ、パス検出の精度が向上し、結果的に受信品質も向上する。
【００１７】
【発明の実施の形態】
以下、本発明の実施の形態について添付図面を参照しながら説明する。まず、第１の実施の形態について説明する。図１は本発明に係るＣＤＭＡ受信機のパスサーチ装置の第１の実施の形態の構成図である。第１の実施の形態は本発明をＣＤＭＡ方式移動通信システム基地局装置の一例に適用したものである。ここでは、基地局装置の受信機能部分のみを示している。
【００１８】
図１を参照すると、基地局装置受信機能部１７は、図示しない移動体端末から送信されたＣＤＭＡ方式で拡散された送信信号を受信するアンテナ１と、このアンテナ１で受信した信号のインターフェース機能を有するとともに受信信号を復調する高周波受信回路部２と、高周波受信回路部２から出力されるアナログ信号をディジタル信号に変換するＡ／Ｄ（  アナログ／ディジタル）  変換部３とを有している。
【００１９】
さらに基地局装置受信機能部１７は、サーチャー部１６と、フィンガー部１８と、移動体端末から送信されるパイロット信号や受信データに付加されるＣＲＣ（ｃｙｃｌｉｃ  ｒｅｄｕｎｄａｎｃｙ  ｃｈｅｃｋ）  などを用いて受信品質を測定する受信品質モニター部１５を備えている。
【００２０】
サーチャー部１６は、割り当てられた通信チャネルの拡散符号を生成する符号発生器７と、符号発生器７によって生成される拡散符号と予め決められたパイロット信号を掛け合わせて拡散させた理想的な受信信号と、入力信号の各タイムスロットの先頭位置に付加されたパイロット信号部分との相関値を算出する並列動作可能なハードウェアである複数の相関器４と、直交復調されたパイロット信号の相互に直交する信号成分であるＩ信号及びＱ信号について、一定回数の同相加算“Ｉ＋Ｉ”又は“Ｑ＋Ｑ”を行う同相加算部５と、一定回数の電力加算“Ｉ２＋Ｑ２  ”を行う電力加算部６と、電力加算部６からの演算結果に基づきパスを検出するパスコントロール部８と、パス情報を蓄積し、パスコントロール部８から送られてくるパス情報をもとにウィンドウを開く位置を制御するウィンドウコントロール部９と、パスコントロール部８からのパス情報、ウィンドウコントロール部９からのウィンドウ情報、受信品質モニター１５からの受信品質情報（  ＢＥＲ、ＢＬＥＲ、ＳＩＲなど）  及び上位装置（例えば、ＲＮＣ（ｒａｄｉｏ  ｎｅｔｗｏｒｋｃｏｎｔｒｏｌｌｅｒ：無線ネットワーク制御装置）  からのユーザー情報から、其々のユーザーに割り当てる相関器４の割合を決定する相関器コントロール部１０と、後述するプログラムを記録した記録媒体１９とを備えている。
【００２１】
フィンガー部１８は、割り当てられた通信チャネルの拡散符号を生成する符号発生器１１と、サーチャー部１６から通知される遅延時間に対応する特定パスを抽出し、符号発生器１１にて生成された拡散符号を用いて逆拡散する逆拡散部１２と、チャネとル推定を行いフェージングの影響を取り除く検波部１３と、検波した信号を合成するレイク（ＲＡＫＥ）合成部１４とを備えている。
【００２２】
次に、本実施形態の動作について説明する。図示しない送信側の移動体端末において、複数のタイムスロットを有するフレーム化された送信信号が送出される。図２に移動体端末による送信信号の一例を示す。同図を参照すると、送信信号はＤＰＤＣＨ（ｄｅｄｉｃａｔｅｄ  ｐｈｙｓｉｃａｌ  ｄａｔａ  ｃｈａｎｎｅｌ  ）と、ＤＰＣＣＨ（ｄｅｄｉｃａｔｅｄｐｈｙｓｉｃａｌ  ｃｏｎｔｒｏｌ  ｃｈａｎｎｅｌ）とから構成される。これらの信号が各タイムスロット（ｓｌｏｔ＃０−＃１４  ）において送信される。
【００２３】
ＤＰＤＣＨは送信データ（Ｄａｔａ）で構成され、ＤＰＣＣＨはパイロット信号（Ｐｉｌｏｔ  ）と、ＴＦＣＩ（ｔｒａｎｓｐｏｒｔ  ｆｏｒｍａｔ  ｃｏｍｂｉｎａｔｉｏｎ  ｉｎｄｉｃａｔｏｒ）と、ＦＢＩ（ｆｅｅｄｂａｃｋ  ｉｎｆｏｒｍａｔｉｏｎ）と、ＴＰＣ（ｔｒａｎｓｍｉｔ  ｐｏｗｅｒ  ｃｏｎｔｒｏｌ）とから構成されている。なお、これらの信号は本発明と直接関係がないため、説明を省略する。
【００２４】
各タイムスロットの先頭位置に、予め送受信両側で既知の固定パターンであるパイロット信号が付加され、送信データと共に直交変調される。直交変調後、各通信チャネル固有の拡散符号を用いてスペクトル拡散が行われる。
【００２５】
以下、図３〜図６を参照しながら説明する。図３は基地局装置受信機能部１７のアンテナ１、高周波受信回路部２及びＡ／Ｄ変換部３の動作手順を示すフローチャート、図４及び図５はサーチャー部１６の動作手順を示すフローチャート、図６はフィンガー部１８の動作手順を示すフローチャートである。
【００２６】
基地局装置受信機能部１７のアンテナ１では、このＣＤＭＡ方式で各自固有の拡散符号を用いて拡散された送信信号が受信される（図３のＳ１）。この受信信号は高周波受信回路部２によって増幅され（図３のＳ２）、さらにＡ／Ｄ変換部３によってアナログ信号からディジタルデータに変換される（図３のＳ３）。そして、このディジタルデータはサーチャー部１６及びフィンガー部１８に入力される。
【００２７】
サーチャー部１６では、相関器４でＡ／Ｄ変換部３から出力されるディジタルデータの各タイムスロットの先頭位置に付加されたパイロット信号部分と、符号発生器７によって生成される拡散符号と予め決められたパイロット信号を掛け合わせて拡散させた理想的な受信信号との相関値を算出する（図４のＳ１１）。其々の相関器４に対するユーザー及びウィンドウ位置の割り当ては、相関器コントロール部１０により制御される。
【００２８】
同相加算部５では相関器４で算出された相関値を一定回数同相加算し（図４のＳ１２）、電力加算部６において同相加算部５から得られた同相加算結果を使用して電力加算を行う（図４のＳ１３）。この電力加算の結果から，パスコントロール部８ではノイズレベルなどから得られた閾値より高いレベルのパスを検出し（図４のＳ１４）、そのパス情報をフィンガー部１８及びウィンドウコントロール部９に出力する。ウィンドウコントロール部９では、パス情報からウィンドウを開く位置を求め相関器コントロール部１０に出力する（図４のＳ１５）。
【００２９】
フィンガー部１８は、Ａ／Ｄ変換部３からのディジタルデータから、サーチャー部１６から通知される遅延時間に対応する特定パスを抽出し符号発生器１１によって生成された拡散符号を用いて逆拡散部１２で逆拡散を行う（図６のＳ３１）。その後、検波部１３でチャネル推定をしてフェージングの影響を取り除き（図６のＳ３２）、ＲＡＫＥ合成部１４で検波した信号をＲＡＫＥ合成し（図６のＳ３３）、復調データが生成される。
【００３０】
フィンガー部１８の出力が入力される受信品質モニター１５では、復調データ上にあるパイロット信号やデータに付加されるＣＲＣなどを用いて受信品質を測定し、受信品質情報（  ＢＥＲ、ＢＬＥＲ、ＳＩＲなど）  を相関器コントロール部１０に出力する（図６のＳ３４）。
【００３１】
本発明では、相関器コントロール部１０が現在のユーザー数、ウィンドウ情報及び受信品質情報から其々のユーザーに割り当てる相関器４の割合を動的に変更することにより、無駄なく相関器４を使用して、パス検出精度の向上、パス検出時間の短縮さらに必要最低限の相関器数でのサーチ処理が可能になる。
【００３２】
たとえば、処理中のユーザーがユーザーＡ、Ｂのみで（図５のＳ２１にてＹ  の場合）、両ユーザーともパス及びウィンドウ位置が安定しており、受信品質も同程度の場合（図５のＳ２２にて「同程度」の場合）、すなわち図７の受信状態対時間特性図において時間▲１▼における受信状態にある場合は、図８の相関器の使用割合を示す図に示されるように、ユーザーＡ、Ｂともほぼ同じ割合（一例として５０％：５０％）で相関器４が割り当てられる（図５のＳ２３）。
【００３３】
これに対し、ユーザーＢが移動を開始してユーザーＢのみ受信品質が低くなると（図５のＳ２２にて「ユーザーＢの受信品質が低下」の場合）、すなわち図７の受信状態対時間特性図において時間▲２▼における受信状態に変化した場合は、相関器４の使用割合は図９の相関器の使用割合を示す図に示されるように、ユーザーＢへの割り当てが、一例として５０％から７０％へ増加される（図５のＳ２４）。その後、ユーザーＢの受信品質が再びユーザーＡと同程度になると（図５のＳ２２にて「同程度」の場合）、すなわち図７の受信状態対時間特性図において時間▲３▼における受信状態に変化した場合は、相関器４の使用割合は図８に示す割合に戻る（図５のＳ２３）。
【００３４】
他の例では、既に複数ユーザーの処理を行っている時に新たにユーザーが設定された場合（図５のＳ２１にて「Ｎ：新たなユーザーの設定あり」の場合）、基本的に既に処理中のユーザーの受信品質は安定していることが予想されるため、相関器４は図１０の相関器の使用割合を示す図に示されるように、新たなユーザーに４０％、既存のユーザーＡ，Ｂにそれぞれ３０％が割り当てられる（図５のＳ２５）。これにより、パスの検出精度の向上、検出時間の短縮を計り受信品質が安定するまでの時間を短くすることが可能となる。
【００３５】
次に、第２の実施の形態について説明する。図１１は本発明に係るＣＤＭＡ受信機のパスサーチ装置の第２の実施の形態の構成図である。なお、図１１において図１と同様の構成部分には同一番号を付し、その説明を省略する。図１１におけるパスコントロール部８から相関器コントロール部１０へ直接パス情報を出力する機能が追加された点を除き、構成は図１と同様である。この実施形態では、相関器コントロール部１０が現在のユーザー数、ウィンドウ情報、パス情報及び受信品質情報から其々のユーザーに割り当てる相関器４の数を動的に変更する。これにより、無駄なく相関器４を使用して多くのユーザーの受信品質の向上及び維持を図ることが可能となる。
【００３６】
次に、第３の実施の形態について説明する。第３の実施の形態はパスサーチ方法をコンピュータに実行させるためのプログラムに関するものである。前述したように、図１に示すパスサーチ装置には記録媒体１９が含まれている。図１１に示すパスサーチ装置も同様である。この記録媒体１９には前述の図５にフローチャートで示すプログラムが記録されている。サーチャー部１６内の相関器コントロール部１０は記録媒体１９からこのプログラムを読み出し、このプログラムにしたがって相関器４を制御する。その制御内容については既に述べたのでここでの説明は省略する。
【００３７】
【効果の説明】
以上説明したように本発明は、受信状態やサーチ範囲などから動的にユーザーに割り当てる相関器の割合を変更する構成であるため、パス検出精度を向上させ、パス検出時間を短縮し、必要最低限の相関器の数で多数のユーザーの受信状態を良好に保つことが可能となる。
【００３８】
具体的には、本発明の第一の効果は、装置に必要な相関器４を必要最低限に出来ることである。又、第二の効果は、ユーザー数が少数である時、パス検出精度及び受信品質が向上することである。又、第三の効果は、新たに追加されたユーザーに相関器を多く割り当てる事により、パス検出時間が短縮されることである。さらに、第四の効果は、広域なサーチを時分割したサーチウィンドウを使用して行うパスサーチ装置において、ユーザーに広域なサーチが要求された場合でも、相関器４を多く割り当てることにより高速に広域なサーチを行う事が可能となることである。
【図面の簡単な説明】
【図１】本発明に係るＣＤＭＡ受信機のパスサーチ装置の第１の実施の形態の構成図である。
【図２】移動体端末による送信信号の一例の構成図である。
【図３】基地局装置受信機能部１７のアンテナ１、高周波受信回路部２及びＡ／Ｄ変換部３の動作手順を示すフローチャートである。
【図４】サーチャー部１６の動作手順を示すフローチャートである。
【図５】サーチャー部１６の動作手順を示すフローチャートである。
【図６】フィンガー部１８の動作手順を示すフローチャートである。
【図７】受信状態対時間特性図である。
【図８】相関器の使用割合を示す図である。
【図９】相関器の使用割合を示す図である。
【図１０】相関器の使用割合を示す図である。
【図１１】本発明に係るＣＤＭＡ受信機のパスサーチ装置の第２の実施の形態の構成図である。
【符号の説明】
１  アンテナ
２  高周波受信回路部
３  Ａ／Ｄ変換部
４  相関器
５  同相加算部
６  電力加算部
７  符号発生器
８  パスコントロール部
９  ウィンドウコントロール部
１０  相関器コントロール部
１１  符号発生器
１２  逆拡散部
１３  検波部
１４  レイク合成部
１５  受信品質モニター部
１６  サーチャー部
１７  基地局装置受信機能部
１８  フィンガー部
１９  記録媒体
【図１】
2004187019.tif 000003
【図２】
2004187019.tif 000004
【図３】
2004187019.tif 000005
【図４】
2004187019.tif 000006
【図５】
2004187019.tif 000007
【図６】
2004187019.tif 000008
【図７】
2004187019.tif 000009
【図８】
2004187019.tif 000010
【図９】
2004187019.tif 000011
【図１０】
2004187019.tif 000012
【図１１】
2004187019.tif 000013